(57)【要約】【課題】  故障検出回路や切換回路を不要としながらも、二重化装置の本来の機能を正常に行えるようにする。【解決手段】  送信装置１において、位相移動回路７は、第２の送信回路５へ入力される入力信号の位相を第１の送信回路４へ入力される入力信号の位相に対して所定角度（６０度）だけ移動させ、トランス６は、第１の送信回路４から出力された交流電力信号を入力する入力側コイルと、第２の送信回路５から出力された交流電力信号を入力する入力側コイルと、それら２つの入力側コイルに対応する１つの出力側コイルとを有し、各コイルの巻数が同一に形成されている。【選択図】  図１
2005258775.tif 000002
【特許請求の範囲】
【請求項１】
第１の交流電力信号を出力する第１の交流電力信号出力回路と、
第２の交流電力信号を出力する第２の交流電力信号出力回路と、
前記第２の交流電力信号出力回路へ入力される入力信号の位相を前記第１の交流電力信号出力回路へ入力される入力信号の位相に対して所定角度だけ移動させる位相移動回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルと前記第２の入力側コイルとに対応する出力側コイルとを有し、各コイルの巻数が同一に形成されてなるトランスと、
を備えたことを特徴とする特徴とする二重化装置。
【請求項２】
第１の交流電力信号を出力する第１の交流電力信号出力回路と、
第２の交流電力信号を出力する第２の交流電力信号出力回路と、
前記第１の交流電力信号出力回路が正常な場合に前記第２の交流電力信号出力回路への入力信号の入力を禁止すると共に、前記第１の交流電力信号出力回路が異常な場合に前記第２の交流電力信号出力回路への入力信号の入力を許可する禁止回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルと前記第２の入力側コイルとに対応する出力側コイルとを有し、各コイルの巻数が同一に形成されてなるトランスと、
を備えたことを特徴とする特徴とする二重化装置。
【請求項３】
第１の交流電力信号を出力する第１の交流電力信号出力回路と、
第２の交流電力信号を出力する第２の交流電力信号出力回路と、
前記第２の交流電力信号出力回路へ入力される入力信号の位相を前記第１の交流電力信号出力回路へ入力される入力信号の位相に対して所定角度だけ移動させる位相移動回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルに対応する第１の出力側コイルと、前記第２の入力側コイルに対応する第２の出力側コイルとを有し、各コイルの巻数が同一に形成されていると共に前記第１の出力側コイルと前記第２の出力側コイルとが直列接続されてなるトランスと、
を備えたことを特徴とする特徴とする二重化装置。
【請求項４】
第１の交流電力信号を出力する第１の交流電力信号出力回路と、
第２の交流電力信号を出力する第２の交流電力信号出力回路と、
前記第１の交流電力信号出力回路が正常な場合に前記第２の交流電力信号出力回路への入力信号の入力を禁止すると共に、前記第１の交流電力信号出力回路が異常な場合に前記第２の交流電力信号出力回路への入力信号の入力を許可する禁止回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルに対応する第１の出力側コイルと、前記第２の入力側コイルに対応する第２の出力側コイルとを有し、各コイルの巻数が同一に形成されていると共に前記第１の出力側コイルと前記第２の出力側コイルとが直列接続されてなるトランスと、
を備えたことを特徴とする特徴とする二重化装置。
【請求項５】
第１の交流電力信号を出力する第１の交流電力信号出力回路と、
第２の交流電力信号を出力する第２の交流電力信号出力回路と、
前記第２の交流電力信号出力回路へ入力される入力信号の位相を前記第１の交流電力信号出力回路へ入力される入力信号の位相に対して所定角度だけ移動させる位相移動回路と、
前記第１の交流電力信号出力回路から出力された第１の交流電力信号を一方の入力端子により入力すると共に前記第２の交流電力信号出力回路から出力された第２の交流電力信号を他方の入力端子により入力してサムポートから交流電力信号を出力するハイブリットトランスと、
を備えたことを特徴とする特徴とする二重化装置。
【請求項６】
第１の交流電力信号を出力する第１の交流電力信号出力回路と、
第２の交流電力信号を出力する第２の交流電力信号出力回路と、
前記第１の交流電力信号出力回路が正常な場合に前記第２の交流電力信号出力回路への入力信号の入力を禁止すると共に、前記第１の交流電力信号出力回路が異常な場合に前記第２の交流電力信号出力回路への入力信号の入力を許可する禁止回路と、
前記第１の交流電力信号出力回路から出力された第１の交流電力信号を一方の入力端子により入力すると共に前記第２の交流電力信号出力回路から出力された第２の交流電力信号を他方の入力端子により入力してサムポートから交流電力信号を出力するハイブリットトランスと、
を備えたことを特徴とする特徴とする二重化装置。
【発明の詳細な説明】
【技術分野】
【０００１】
本発明は、例えば鉄道やＩＭＴＳ（インテリジェンス・マルチモード・トランジット・システム：新世代公共交通システム）の閉塞制御システムおよび化学プラントの制御装置などの高信頼性が必要とされる分野で用いられる二重化装置に関する。
【背景技術】
【０００２】
従来の二重化装置として、回路を二重化し、それら二重化された回路のうち一方を常用系として使用すると共に他方を待機系として使用し、常用系として使用されている回路に故障が発生したか否かを故障検出回路により監視し、故障が発生した旨を検出すると、それまで待機系として使用されている回路を切換回路により常用系に切換えるものがある（例えば特許文献１，２参照）。
【特許文献１】特開平７−１０７７９５号公報
【特許文献２】特許第２８３４４８３号公報
【発明の開示】
【発明が解決しようとする課題】
【０００３】
しかしながら、上記した特許文献１，２に記載されているものでは、故障が発生したか否かを監視するための故障検出回路や待機系から常用系へ切換えるための切換回路を必要とする構成であるので、これら故障検出回路や切換回路に何らかの不具合が発生すると、
故障が発生したか否かを適切に監視することができなかったり、待機系から常用系へ適切に切換えることができなかったりし、その結果、二重化装置の本来の機能を正常に行うことができず、信頼性が低下するという問題がある。
【０００４】
本発明は、上記した事情に鑑みてなされたものであり、その目的は、故障検出回路や切換回路を不要としながらも、二重化装置の本来の機能を正常に行うことができ、信頼性が低下することを未然に回避することができる二重化装置を提供することにある。
【課題を解決するための手段】
【０００５】
請求項１に記載した発明によれば、位相移動回路は、第２の交流電力信号出力回路へ入力される入力信号の位相を第１の交流電力信号出力回路へ入力される入力信号の位相に対して所定角度だけ移動させるように構成されており、トランスは、第１の交流電力信号を入力する第１の入力側コイルと、第２の交流電力信号を入力する第２の入力側コイルと、第１の入力側コイルと第２の入力側コイルとに対応する出力側コイルとを有し、各コイルの巻数が同一に形成されて構成されている。
【０００６】
したがって、第２の交流電力信号の位相が第１の交流電力信号の位相に対して所定角度だけ移動されてトランスへ入力されることにより、第１の交流電力信号と第２の交流電力信号との双方がトランスへ入力された場合にトランスから出力される交流電力信号、第１の交流電力信号のみがトランスへ入力された場合にトランスから出力される交流電力信号、第２の交流電力信号のみがトランスへ入力された場合にトランスから出力される交流電力信号について、それらの周波数や振幅を一定に保つことができる。
【０００７】
これにより、第１の交流電力信号出力回路と第２の交流電力信号出力回路とのうち一方を常用系として使用すると共に他方を待機系として使用している場合に、常用系として使用されている回路に故障が発生した場合であっても（常用系として使用されている回路からの出力が「０」ボルトになった場合であっても）、その故障が発生した前後でトランスから出力される交流電力信号の周波数や振幅を一定に保つことができ、従来の故障検出回路や切換回路を必要としない構成でありながらも、二重化装置の本来の機能を正常に行うことができ、信頼性が低下することを未然に回避することができる。また、この場合は、トランスを採用しているので、ハイブリットトランスを採用する構成とは異なって、電力効率が低下することが無いという利点もある。
【０００８】
請求項２に記載した発明によれば、禁止回路は、第１の交流電力信号出力回路が正常な場合に第２の交流電力信号出力回路への入力信号の入力を禁止し、一方、第１の交流電力信号出力回路が異常な場合に第２の交流電力信号出力回路への入力信号の入力を許可するように構成されており、トランスは、第１の交流電力信号を入力する第１の入力側コイルと、第２の交流電力信号を入力する第２の入力側コイルと、第１の入力側コイルと第２の入力側コイルとに対応する出力側コイルとを有し、各コイルの巻数が同一に形成されて構成されている。
【０００９】
したがって、第１の交流電力信号出力回路が正常な場合にトランスから出力される交流電力信号、第１の交流電力信号出力回路が異常な場合にトランスから出力される交流電力信号について、それらの周波数や振幅を一定に保つことができる。
【００１０】
これにより、上記した請求項１に記載したものと同様にして、第１の交流電力信号出力回路と第２の交流電力信号出力回路とのうち一方を常用系として使用すると共に他方を待機系として使用している場合に、常用系として使用されている回路に故障が発生した場合であっても、その故障が発生した前後でトランスから出力される交流電力信号の周波数や振幅を一定に保つことができ、二重化装置の本来の機能を正常に行うことができ、信頼性が低下することを未然に回避することができる。また、この場合も、トランスを採用しているので、ハイブリットトランスを採用する構成とは異なって、電力効率が低下することが無いという利点もある。
【００１１】
請求項３に記載した発明によれば、位相移動回路は、第２の交流電力信号出力回路へ入力される入力信号の位相を第１の交流電力信号出力回路へ入力される入力信号の位相に対して所定角度だけ移動させるように構成されており、トランスは、第１の交流電力信号を入力する第１の入力側コイルと、第２の交流電力信号を入力する第２の入力側コイルと、第１の入力側コイルに対応する第１の出力側コイルと、第２の入力側コイルに対応する第２の出力側コイルとを有し、各コイルの巻数が同一に形成されていると共に第１の出力側コイルと第２の出力側コイルとが直列接続されて構成されている。
【００１２】
したがって、この場合も、第２の交流電力信号の位相が第１の交流電力信号の位相に対して所定角度だけ移動されてトランスへ入力されることにより、第１の交流電力信号と第２の交流電力信号との双方がトランスへ入力された場合にトランスから出力される交流電力信号、第１の交流電力信号のみがトランスへ入力された場合にトランスから出力される交流電力信号、第２の交流電力信号のみがトランスへ入力された場合にトランスから出力される交流電力信号について、それらの周波数や振幅を一定に保つことができる。
【００１３】
これにより、上記した請求項１に記載したものと同様にして、第１の交流電力信号出力回路と第２の交流電力信号出力回路とのうち一方を常用系として使用すると共に他方を待機系として使用している場合に、常用系として使用されている回路に故障が発生した場合であっても、その故障が発生した前後でトランスから出力される交流電力信号の周波数や振幅を一定に保つことができ、二重化装置の本来の機能を正常に行うことができ、信頼性が低下することを未然に回避することができる。また、この場合も、トランスを採用しているので、ハイブリットトランスを採用する構成とは異なって、電力効率が低下することが無いという利点もある。
【００１４】
請求項４に記載した発明によれば、禁止回路は、第１の交流電力信号出力回路が正常な場合に第２の交流電力信号出力回路への入力信号の入力を禁止し、一方、第１の交流電力信号出力回路が異常な場合に第２の交流電力信号出力回路への入力信号の入力を許可するように構成されており、トランスは、第１の交流電力信号を入力する第１の入力側コイルと、第２の交流電力信号を入力する第２の入力側コイルと、第１の入力側コイルに対応する第１の出力側コイルと、第２の入力側コイルに対応する第２の出力側コイルとを有し、各コイルの巻数が同一に形成されていると共に第１の出力側コイルと第２の出力側コイルとが直列接続されて構成されている。
【００１５】
したがって、この場合も、第１の交流電力信号出力回路が正常な場合にトランスから出力される交流電力信号、第１の交流電力信号出力回路が異常な場合にトランスから出力される交流電力信号について、それらの周波数や振幅を一定に保つことができる。
【００１６】
これにより、上記した請求項１に記載したものと同様にして、第１の交流電力信号出力回路と第２の交流電力信号出力回路とのうち一方を常用系として使用すると共に他方を待機系として使用している場合に、常用系として使用されている回路に故障が発生した場合であっても、その故障が発生した前後でトランスから出力される交流電力信号の周波数や振幅を一定に保つことができ、二重化装置の本来の機能を正常に行うことができ、信頼性が低下することを未然に回避することができる。また、この場合も、トランスを採用しているので、ハイブリットトランスを採用する構成とは異なって、電力効率が低下することが無いという利点もある。
【００１７】
請求項５に記載した発明によれば、位相移動回路は、第２の交流電力信号出力回路へ入力される入力信号の位相を第１の交流電力信号出力回路へ入力される入力信号の位相に対して所定角度だけ移動させるように構成されており、ハイブリットトランスは、第１の交流電力信号を一方の入力端子により入力すると共に第２の交流電力信号を他方の入力端子により入力してサムポートから交流電力信号を出力するように構成されている。
【００１８】
したがって、第２の交流電力信号の位相が第１の交流電力信号の位相に対して所定角度だけ移動されてハイブリットトランスへ入力されることにより、第１の交流電力信号と第２の交流電力信号との双方がハイブリットトランスへ入力された場合にハイブリットトランスから出力される交流電力信号、第１の交流電力信号のみがハイブリットトランスへ入力された場合にハイブリットトランスから出力される交流電力信号、第２の交流電力信号のみがハイブリットトランスへ入力された場合にハイブリットトランスから出力される交流電力信号について、それらの周波数や振幅を一定に保つことができる。
【００１９】
これにより、第１の交流電力信号出力回路と第２の交流電力信号出力回路とのうち一方を常用系として使用すると共に他方を待機系として使用している場合に、常用系として使用されている回路に故障が発生した場合であっても、その故障が発生した前後でハイブリットトランスから出力される交流電力信号の周波数や振幅を一定に保つことができ、二重化装置の本来の機能を正常に行うことができ、信頼性が低下することを未然に回避することができる。また、この場合は、ハイブリットトランスを採用しているので、トランスを採用する構成とは異なって、入力側コイル同士の干渉による影響が無いという利点がある。
【００２０】
請求項６に記載した発明によれば、禁止回路は、第１の交流電力信号出力回路が正常な場合に第２の交流電力信号出力回路への入力信号の入力を禁止し、一方、第１の交流電力信号出力回路が異常な場合に第２の交流電力信号出力回路への入力信号の入力を許可するように構成されており、ハイブリットトランスは、第１の交流電力信号を一方の入力端子により入力すると共に第２の交流電力信号を他方の入力端子により入力してサムポートから交流電力信号を出力するように構成されている。
【００２１】
したがって、第１の交流電力信号出力回路が正常な場合にハイブリットトランスから出力される交流電力信号、第１の交流電力信号出力回路が異常な場合にハイブリットトランスから出力される交流電力信号について、それらの周波数や振幅を一定に保つことができる。
【００２２】
これにより、上記した請求項５に記載したものと同様にして、第１の交流電力信号出力回路と第２の交流電力信号出力回路とのうち一方を常用系として使用すると共に他方を待機系として使用している場合に、常用系として使用されている回路に故障が発生した場合であっても、その故障が発生した前後でハイブリットトランスから出力される交流電力信号の周波数や振幅を一定に保つことができ、二重化装置の本来の機能を正常に行うことができ、信頼性が低下することを未然に回避することができる。また、この場合も、ハイブリットトランスを採用しているので、トランスを採用する構成とは異なって、入力側コイル同士の干渉による影響が無いという利点がある。
【発明を実施するための最良の形態】
【００２３】
（第１の実施形態）
以下、本発明の第１の実施形態として、二重化装置をＩＭＴＳで用いられる送信装置に適用したものについて、図１ないし図４を参照して説明する。
まず、図１は、送信装置の全体構成を機能ブロック図として示している。送信装置１の２つの出力端子ｄ１，ｄ２は、道路に敷設されたループアンテナ２にマッチングトランス３を介して接続されている。送信装置１は、第１の送信回路４（本発明でいう第１の交流電力信号出力回路）と、第２の送信回路５（本発明でいう第２の交流電力信号出力回路）と、トランス６と、位相移動回路７と、モニタ回路８とを備えて構成されている。この場合、マッチングトランス３は、送信装置１のトランス６の出力インピーダンス（例えば５０［Ω］）とループアンテナ２のインピーダンス（例えば１８［Ω］）とを整合させるためのトランスとして配設されている。また、送信装置１のトランス６とマッチングトランス３との間のケーブルは、トランス６の出力インピーダンスに適合する同軸ケーブルから構成されている。
【００２４】
第１の送信回路４は、４８ボルト電源回路９と、入力回路１０と、電力増幅回路１１とを備え、例えば１８９［ＫＨｚ］の周波数を基準として周波数変調された正弦波が入力信号として入力回路１０へ入力されると、その入力信号を電力増幅回路１１により電力増幅し、交流電力信号を２つの出力端子ｂ１，ｂ２から出力するように構成されている。
【００２５】
第２の送信回路５は、その構成および作用が上記した第１の送信回路４と同様に構成されている。つまり、第２の送信回路５は、４８ボルト電源回路１２と、入力回路１３と、電力増幅回路１４とを備え、例えば１８９［ＫＨｚ］の周波数を基準として周波数変調された正弦波が入力信号として入力回路１３へ入力されると、その入力信号を電力増幅回路１４により電力増幅し、交流電力信号を２つの出力端子ｃ１，ｃ２から出力するように構成されている。
【００２６】
位相移動回路７は、第２の送信回路５の前段（入力側）に配設されており、第２の送信回路５へ入力される入力信号の位相を第１の送信回路４へ入力される入力信号の位相に対して所定角度だけ移動させる（所定の位相差を持たせる）ように構成されている。尚、位相移動回路７には、第２の送信回路５の４８ボルト電源回路１２から４８［Ｖ］が供給されるように構成されている。
【００２７】
ここで、上記した位相移動回路７の具体的な構成について、図２を参照して説明する。位相移動回路７は、４個の抵抗１０１〜１０４と、オペアンプ１０５と、コンデンサ１０６と、反転増幅器１０７とが図２に示すように接続されて構成されている。この場合、位相移動回路７の入力端子１０８は、第１の送信回路４の入力回路１０の入力端子に接続されていることにより、第１の送信回路４の入力回路１０へ入力される入力信号と同一の入力信号が入力されるように構成されている。また、位相移動回路７の出力端子１０９は、第２の送信回路５の入力回路１３の入力端子に接続されている。尚、位相移動回路７は、第２の送信回路５の４８ボルト電源回路１２から供給された４８［Ｖ］から電源回路（図示せず）により＋１５［Ｖ］と−１５［Ｖ］とを電源として生成し、オペアンプ１０５と反転増幅器１０７とに供給するように構成されている。
【００２８】
位相移動回路７は、以下の動作を行う。位相移動回路７において、入力電圧Ｅｉに対する出力電圧Ｅｏは、抵抗１０１の抵抗値と抵抗１０３の抵抗値とが同一（「Ｒ１」）であり、位相移動量をθとした場合に、極座標で表すと、
【００２９】
【数１】
2005258775.tif 000003
と表される。但し、ｆは周波数、Ｒｘは抵抗１０２の抵抗値、Ｃｘはコンデンサ１０６の容量である。上記した（１）式および（２）式により、入力電圧Ｅｉの振幅と出力電圧Ｅｏの振幅とは同一であり、位相移動量θは、周波数ｆが一定の下では抵抗１０２の抵抗値Ｒｘとコンデンサ１０６の容量Ｃｘとにより決定される。この点について、詳しくは、書籍Prentice-Hall International,Inc.出版，Robert F.Coughlin,Frederick F.Driscoll両著「ＯＰＥＲＡＴＩＯＮＡＬ  ＡＭＰＬＩＦＩＥＲＳ＆ＬＩＮＥＡＲ  ＩＮＴＥＧＲＡＴＥＤ  ＣＩＲＣＵＩＴＳ」を参照されたい。
【００３０】
次に、上記したトランス６の具体的な構成について、図３を参照して説明する。トランス６は、第１の入力側コイル２０１と、第２の入力側コイル２０２と、第１の入力側コイル２０１と第２の入力側コイル２０２とに対応する出力側コイル２０３とを備えて構成されている。第１の入力側コイル２０１は、その入力端子２０１ａ，２０１ｂが第１の送信回路４の出力端子ｂ１，ｂ２に接続され、第１の送信回路４から出力された交流電力信号を入力するように構成されている。また、第２の入力側コイル２０２は、その入力端子２０２ａ，２０２ｂが第２の送信回路５の出力端子ｃ１，ｃ２に接続され、第２の送信回路５から出力された交流電力信号を入力するように構成されている。さらに、出力側コイル２０３は、その出力端子２０３ａ，２０３ｂが送信装置１の出力端子ｄ１，ｄ２に接続されている。この場合、各コイル２０１〜２０３の巻数は、全て同一となっている。
【００３１】
さて、以上に説明した構成の送信装置１において、第１の送信回路４から出力される交流電力信号（トランス６の第１の入力側コイル２０１へ入力される入力信号）をＳｂ、第２の送信回路５から出力される交流電力信号（トランス６の第２の入力側コイル２０２へ入力される入力信号）をＳｃとした場合に、第１の送信回路４から出力された交流電力信号Ｓｂのみがトランス６へ入力された場合にトランス６から出力される交流電力信号Ｓｂ´、第２の送信回路５から出力された交流電力信号Ｓｃのみがトランス６へ入力された場合にトランス６から出力される交流電力信号Ｓｃ´第１の送信回路４から出力された交流電力信号Ｓｂと第２の送信回路５から出力された交流電力信号Ｓｃとの双方がトランス６へ入力された場合にトランス６から出力される交流電力信号Ｓｄについて考察すると、これら交流電力信号Ｓｂ，Ｓｃ，Ｓｂ´，Ｓｃ´，Ｓｄは、
【００３２】
【数２】
2005258775.tif 000004
と表される。但し、Ａは振幅、Ｂ＝１−cosθ、Ｃ＝sinθ、φ＝arctan（Ｃ／Ｂ）である。ここで、cosθ＝１／２（θ＝６０度）とすると、
【００３３】
【数３】
2005258775.tif 000005
となり、上記した（７）式は、
【００３４】
【数４】
2005258775.tif 000006
となる。
したがって、上記した（５）式、（６）式、（９）式から明らかなように、トランス６から出力される交流電力信号Ｓｂ´，Ｓｃ´，Ｓｄについて、それらの周波数（ω／２π）が同一であると共に、それらの振幅（Ａ）が同一であり、つまり、周波数や振幅を一定に保つことができる。
【００３５】
すなわち、第１の送信回路４を常用系として使用すると共に第２の送信回路５を待機系として使用している途中で常用系として使用されている第１の送信回路４に故障が発生したとしても（第１の送信回路４からの出力が「０」ボルトになったとしても）、その故障が発生した前後でトランス６から出力される交流電力信号の周波数や振幅に何ら変化が発生することはない。勿論、これとは反対に、第２の送信回路５を常用系として使用すると共に第１の送信回路４を待機系として使用している途中で常用系として使用されている第２の送信回路５に故障が発生した場合も（第２の送信回路５からの出力が「０」ボルトになったとしても）、これと同様である。
【００３６】
次に、モニタ回路８の具体的な構成について、図４を参照して説明する。モニタ回路８は、第１のモニタ回路３０１と第２のモニタ回路３０２とから構成されている。第１のモニタ回路３０１は、電源回路３１１と、可変抵抗３１２と、ダイオード３１３と、抵抗３１４〜３１８と、コンデンサ３１９と、コンパレータ３２０とが図４に示すように接続されて構成されている。電源端子３２１は、第１の送信回路４の４８ボルト電源回路９の出力端子に接続され、入力端子３２２は、第１の送信回路４の電力増幅回路１１の一方の出力端子に接続され、出力端子３２３は、送信装置１のモニタ出力端子ｅを介して制御ＥＣＵの入力端子に接続されている。尚、電源回路３１１は、第１の送信回路４の４８ボルト電源回路９から供給された４８［Ｖ］を１２［Ｖ］へ降圧するシリーズレギュレータにより構成されている。
【００３７】
第１のモニタ回路３０１では、第１の送信回路４から出力された交流電力信号（正弦波信号）が入力端子３２２に入力されると、その入力された交流電力信号が整流されて直流電圧に変換され、その直流電圧と予め設定されている設定電圧とが比較される。そして、直流電圧が設定電圧以上である場合、つまり、第１の送信回路４から交流電力信号が正常に出力されている場合には、コンパレータ３２０からロウレベルの出力信号が出力され、一方、直流電圧が設定電圧未満である場合、つまり、第１の送信回路４から交流電力信号が正常に出力されていない場合には、コンパレータ３２０からハイレベルの出力信号が出力される。
【００３８】
第２のモニタ回路３０２は、その構成および作用が上記した第１のモニタ回路３０１と同様に構成されている。つまり、第２のモニタ回路３０２は、電源回路３３１と、可変抵抗３３２と、ダイオード３３３と、抵抗３３４〜３３８と、コンデンサ３３９と、コンパレータ３４０とが図４に示すように接続されて構成されている。電源端子３４１は、第２の送信回路５の４８ボルト電源回路１２の出力端子に接続され、入力端子３４２は、第２の送信回路５の電力増幅回路１４の一方の出力端子に接続され、出力端子３４３は、送信装置１のモニタ出力端子ｆを介して制御ＥＣＵの入力端子に接続されている。尚、電源回路３３１も、第２の送信回路５の４８ボルト電源回路１２から供給された４８［Ｖ］を１２［Ｖ］へ降圧するシリーズレギュレータにより構成されている。
【００３９】
第２のモニタ回路３０２では、第２の送信回路５から出力された交流電力信号（正弦波信号）が入力端子３４２に入力されると、その入力された交流電力信号が整流されて直流電圧に変換され、その直流電圧と予め設定されている設定電圧とが比較される。そして、直流電圧が設定電圧以上である場合、つまり、第２の送信回路５から交流電力信号が正常に出力されている場合には、コンパレータ３４０からロウレベルの出力信号が出力され、一方、直流電圧が設定電圧未満である場合、つまり、第２の送信回路５から交流電力信号が正常に出力されていない場合には、コンパレータ３４０からハイレベルの出力信号が出力される。
【００４０】
このような構成により、送信装置１は、第１の送信回路４から交流電力信号が正常に出力されているか否か、つまり、第１の送信回路４が正常であるか異常であるかを表す信号をモニタ出力端子ｅを介して制御ＥＣＵへ出力すると共に、第２の送信回路５から交流電力信号が正常に出力されているか否か、つまり、第２の送信回路５が正常であるか異常であるかを表す信号をモニタ出力端子ｆを介して制御ＥＣＵへ出力するようになっている。
【００４１】
ところで、以上に説明した構成では、第１の送信回路４や第２の送信回路５に故障が発生した場合として、第１の送信回路４や第２の送信回路５からの出力が「０」ボルトになった場合を説明したものであるが、故障により周波数が変化せずに振幅が変化した場合には、振幅に応じた合成出力がトランス６から出力されることになるので、何ら問題になることはない。しかし、故障により周波数が変化した場合や交流信号から直流信号に変化した場合には問題になるが、周波数が変化した場合の対策としては、第１の送信回路４や第２の送信回路５の出力側にバンドパスフィルタを配設して帯域制限を行うことにより解決することができ、交流信号から直流信号に変化した場合の対策としては、第１の送信回路４や第２の送信回路５の出力側に直列接続された２つのコンデンサを当該回路に対して直列接続することにより解決することができる。
【００４２】
以上に説明したように第１の実施形態によれば、送信装置１において、位相移動回路７は、第２の送信回路５へ入力される入力信号の位相を第１の送信回路４へ入力される入力信号の位相に対して所定角度（６０度）だけ移動させるように構成されており、トランス６は、第１の送信回路４から出力された交流電力信号を入力する第１の入力側コイル２０１と、第２の送信回路５から出力された交流電力信号を入力する第２の入力側コイル２０２と、第１の入力側コイル２０１と第２の入力側コイル２０２とに対応する出力側コイル２０３とを有し、各コイル２０１〜２０３の巻数が同一に形成されて構成されている。
【００４３】
したがって、第１の送信回路４から出力された交流電力信号Ｓｂと第２の送信回路５から出力された交流電力信号Ｓｃとの双方がトランス６へ入力された場合にトランス６から出力される交流電力信号Ｓｄ、第１の送信回路４から出力された交流電力信号Ｓｂのみがトランス６へ入力された場合にトランス６から出力される交流電力信号Ｓｂ´、第２の送信回路５から出力された交流電力信号Ｓｃのみがトランス６へ入力された場合にトランス６から出力される交流電力信号Ｓｃ´について、それらの周波数や振幅を一定に保つことができる。
【００４４】
これにより、第１の送信回路４と第２の送信回路５とのうち一方を常用系として使用すると共に他方を待機系として使用している場合に、常用系として使用されている回路に故障が発生した場合であっても（常用系として使用されている回路からの出力が「０」ボルトになった場合であっても）、その故障が発生した前後でトランス６から出力される交流電力信号の周波数や振幅を一定に保つことができ、従来の故障検出回路や切換回路を必要としない構成でありながらも、二重化装置の本来の機能を正常に行うことができ、信頼性が低下することを未然に回避することができる。
【００４５】
また、この場合は、トランス６を採用しているので、ハイブリットトランスを採用する構成とは異なって、電力効率が低下することが無いという利点もある。さらに、この場合は、従来の故障検出回路や切換回路が他の回路とは別の独立した電源を必要とするのに対してトランス６が電源を必要としないことにより、信頼性を高めることができると共に、装置全体の構成を簡素化することができる。
【００４６】
（第２の実施形態）
次に、本発明の第２の実施形態について、図５および図６を参照して説明する。尚、上記した第１の実施形態と同一部分については説明を省略し、異なる部分について説明する。この第２の実施形態は、第２の送信回路５の前段に禁止回路が配設されている点で第１の実施形態とは異なっている。
【００４７】
すなわち、送信装置２１は、第１の送信回路４と、第２の送信回路５と、トランス６と、禁止回路２２と、モニタ回路８とを備えて構成されている。禁止回路２２は、第２の送信回路５の前段に位置し、第１の送信回路４が正常な場合に第２の送信回路５への入力信号の入力を禁止すると共に、第１の送信回路５が異常な場合に第２の送信回路５への入力信号の入力を許可するように構成されている。
【００４８】
ここで、禁止回路２２の具体的な構成について、図６を参照して説明する。禁止回路２２は、３個の抵抗４０１〜４０３と、トランジスタ４０４と、インバータ４０５とが図６に示すように接続されて構成されている。この場合、禁止回路２２の入力端子４０６は、第１の送信回路４の入力回路１０の入力端子に接続されていることにより、第１の送信回路４の入力回路１０へ入力される入力信号と同一の入力信号が入力されるように構成されている。また、禁止回路２２の出力端子４０７は、第２の送信回路５の入力回路１３の入力端子に接続されている。さらに、禁止回路２２の制御入力端子（コントロール入力端子）４０８は、第１のモニタ回路３０１の出力端子３２３に接続されている。
【００４９】
禁止回路２２は、以下の動作を行う。禁止回路２２において、第１の送信回路４が正常な場合には、上記した第１の実施形態で説明したように第１のモニタ回路３０１の出力端子３２３からロウレベルの出力信号がされることになるので、インバータ４０５の出力がハイレベルとなり、トランジスタ４０４がオンすることにより、入力端子４０６が抵抗４０１を介して接地され、第２の送信回路５への入力信号の入力を禁止する。これに対して、第１の送信回路４が異常な場合には、上記した第１の実施形態で説明したように第１のモニタ回路３０１の出力端子３２３からハイレベルの出力信号がされることになるので、インバータ４０５の出力がロウレベルとなり、トランジスタ４０４がオフすることにより、第２の送信回路５への入力信号の入力を許可する。
【００５０】
以上に説明したように第２の実施形態によれば、送信装置２１において、禁止回路２２は、第１の送信回路４が正常な場合に第２の送信回路５への入力信号の入力を禁止し、一方、第１の送信回路４が異常な場合に第２の送信回路５への入力信号の入力を許可するよう構成されており、トランス６は、第１の送信回路４から出力された交流電力信号を入力する第１の入力側コイル２０１と、第２の送信回路５から出力された交流電力信号を入力する第２の入力側コイル２０２と、第１の入力側コイル２０１と第２の入力側コイル２０２とに対応する出力側コイル２０３とを有し、各コイル２０１〜２０３の巻数が同一に形成されて構成されている。
【００５１】
したがって、第１の送信回路４が正常な場合にトランス６から出力される交流電力信号Ｓｂ´、第１の送信回路４が異常な場合にトランス６から出力される交流電力信号Ｓｃ´について、それらの周波数や振幅を一定に保つことができる。
【００５２】
これにより、上記した第１の実施形態に記載したものと同様にして、第１の送信回路４と第２の送信回路５とのうち一方を常用系として使用すると共に他方を待機系として使用している場合に、常用系として使用されている回路に故障が発生した場合であっても、その故障が発生した前後でトランス６から出力される交流電力信号の周波数や振幅を一定に保つことができ、二重化装置の本来の機能を正常に行うことができ、信頼性が低下することを未然に回避することができる。
【００５３】
（第３の実施形態）
次に、本発明の第２の実施形態について、図７および図８を参照して説明する。尚、上記した第１の実施形態と同一部分については説明を省略し、異なる部分について説明する。この第３の実施形態は、トランスの構成が第１の実施形態とは異なっている。
【００５４】
すなわち、送信装置３１において、トランス３２は、図８に示すように、第１の入力側コイル５０１と、第２の入力側コイル５０２と、第１の入力側コイル２０１に対応する第１の出力側コイル５０３と、第２の入力側コイル２０１に対応する第２の出力側コイル５０４とを備えて構成されている。第１の入力側コイル５０１は、その入力端子５０１ａ，５０１ｂが第１の送信回路４の出力端子ｂ１，ｂ２に接続され、第１の送信回路４から出力された交流電力信号を入力するように構成されている。また、第２の入力側コイル５０２は、その入力端子５０２ａ，５０２ｂが第２の送信回路５の出力端子ｃ１，ｃ２に接続され、第２の送信回路５から出力された交流電力信号を入力するように構成されている。また、第１の出力側コイル５０３と第２の出力側コイル５０４とは、その出力端子５０３ｂ，５０４ａを介して直列接続され、その出力端子５０３ａ，５０４ｂが送信装置１の出力端子ｄ１，ｄ２に接続されている。この場合も、各コイル５０１〜５０４の巻数は、全て同一となっている。このような構成により、トランス３２は、上記した第１の実施形態で説明したトランス６と同様の動作を行うように構成されている。
【００５５】
以上に説明したように第３の実施形態によれば、送信装置３１において、位相移動回路７は、第２の送信回路５へ入力される入力信号の位相を第１の送信回路４へ入力される入力信号の位相に対して所定角度（６０度）だけ移動させるように構成されており、トランス３２は、第１の送信回路４から出力された交流電力信号を入力する第１の入力側コイル５０１と、第２の送信回路５から出力された交流電力信号を入力する第２の入力側コイル５０２と、第１の入力側コイル５０１に対応する第１の出力側コイル５０３と、第２の入力側コイル５０２に対応する第２の出力側コイル５０４とを有し、各コイル５０１〜５０４の巻数が同一に形成されていると共に第１の出力側コイル５０３と第２の出力側コイル５０４とが直列接続されて構成されている。
【００５６】
したがって、この場合も、第１の送信回路４から出力された交流電力信号Ｓｂと第２の送信回路５から出力された交流電力信号Ｓｃとの双方がトランス３２へ入力された場合にトランス３２から出力される交流電力信号Ｓｄ、第１の送信回路４から出力された交流電力信号Ｓｂのみがトランス３２へ入力された場合にトランス３２から出力される交流電力信号Ｓｂ´、第２の送信回路５から出力された交流電力信号Ｓｃのみがトランス３２へ入力された場合にトランス３２から出力される交流電力信号Ｓｃ´について、それらの周波数や振幅を一定に保つことができる。
【００５７】
これにより、第１の送信回路４と第２の送信回路５とのうち一方を常用系として使用すると共に他方を待機系として使用している場合に、常用系として使用されている回路に故障が発生した場合であっても、その故障が発生した前後でトランス３２から出力される交流電力信号の周波数や振幅を一定に保つことができ、二重化装置の本来の機能を正常に行うことができ、信頼性が低下することを未然に回避することができる。
【００５８】
ところで、以上は、第２の送信回路５の前段に位相移動回路７が配設されている構成（上記した第１の実施形態の構成）に対してトランス６の代わりにトランス３２を配設した場合を説明したものであるが、第２の送信回路５の前段に禁止回路２２が配設されている構成（上記した第２の実施形態の構成）に対してトランス６の代わりにトランス３２を配設した場合には、上記した第２の実施形態に記載したものと同様の作用効果を得ることができる。
【００５９】
（第４の実施形態）
次に、本発明の第４の実施形態について、図９および図１０を参照して説明する。尚、上記した第１の実施形態と同一部分については説明を省略し、異なる部分について説明する。この第４の実施形態は、ハイブリットトランスが配設されている点で第１の実施形態とは異なっている。
【００６０】
すなわち、送信装置４１は、第１の送信回路４と、第２の送信回路５と、ハイブリットトランス４２と、位相移動回路７と、モニタ回路８とを備えて構成されている。ハイブリットトランス４２は、図１０に示すように、トランス６０１と、抵抗６０２とを備えて構成されている。この場合、トランス６０１の一方の入力端子６０３，６０４のうち入力端子６０３は、第１の送信回路４の出力端子ｂ１に接続され、第１の送信回路４から出力された交流電力信号を入力すると共に、トランス６０１の他方の入力端子６０５，６０６のうち入力端子６０５は、第２の送信回路５の出力端子ｃ１が接続され、第２の送信回路５から出力された交流電力信号を入力するように構成されている。トランス６０１の中間点は、ハイブリットトランス４２のサムポートとして機能する出力端子６０７，６０８のうち出力端子６０７に接続され、送信装置４２の出力端子ｄ１に接続されている。尚、第１の送信回路４の出力端子ｂ２に接続されている入力端子６０４、第２の送信回路５の出力端子ｃ２に接続されている入力端子６０６、送信装置４２の出力端子ｄ２に接続されている出力端子６０８は接地されている。
【００６１】
ハイブリットトランス４２は、以下の動作を行う。詳しくは、ＣＱ出版社、山村英穂著「トロイダルコア活用百科」を参照されたい。この場合も、第１の送信回路４から出力される交流電力信号をＳｂ、第２の送信回路５から出力される交流電力信号をＳｃとした場合に、第１の送信回路４から出力された交流電力信号Ｓｂのみがハイブリットトランス４２へ入力された場合にハイブリットトランス４２から出力される交流電力信号Ｓｂ´、第２の送信回路５から出力された交流電力信号Ｓｃのみがハイブリットトランス４２へ入力された場合にハイブリットトランス４２から出力される交流電力信号Ｓｃ´第１の送信回路４から出力された交流電力信号Ｓｂと第２の送信回路５から出力された交流電力信号Ｓｃとの双方がハイブリットトランス４２へ入力された場合にハイブリットトランス４２から出力される交流電力信号Ｓｄについて考察すると、これら交流電力信号Ｓｂ，Ｓｃ，Ｓｂ´，Ｓｃ´，Ｓｄは、
【００６２】
【数５】
2005258775.tif 000007
と表される。但し、Ａは振幅、Ｂ＝１−cosθ、Ｃ＝sinθ、φ＝arctan（Ｃ／Ｂ）である。ここでも、cosθ＝１／２（θ＝６０度）とすると、
【００６３】
【数６】
2005258775.tif 000008
となり、上記した（１４）式は、
【００６４】
【数７】
2005258775.tif 000009
となる。
したがって、上記した（１２）式、（１３）式、（１６）式から明らかなように、各々の場合でハイブリットトランス４２から出力される交流電力信号Ｓｂ´，Ｓｃ´，Ｓｄについて、それらの周波数（ω／２π）が同一であると共に、それらの振幅（Ａ／２）が同一であり、つまり、周波数や振幅を一定に保つことができる。
【００６５】
すなわち、上記した第１の実施形態に記載したものと同様にして、第１の送信回路４を常用系として使用すると共に第２の送信回路５を待機系として使用している途中で常用系として使用されている第１の送信回路４に故障が発生したとしても、その故障が発生した前後でハイブリットトランス４２から出力される交流電力信号の周波数や振幅に何ら変化が発生することはない。勿論、これとは反対に、第２の送信回路５を常用系として使用すると共に第１の送信回路４を待機系として使用している途中で常用系として使用されている第２の送信回路５に故障が発生した場合も、これと同様である。
【００６６】
さて、本実施形態では、従来の構成での故障率と本実施形態での故障率とについて説明する。従来の故障検出回路や切換回路が配設された構成では、装置全体の故障率は、一重系の故障検出回路と切換回路とに支配され、それら故障検出回路の故障率と切換回路の故障率とを加算した値となり、１００Ｆｉｔ（１Ｆｉｔ＝１０-9／ｈで、１時間あたりの故障回数を示す）程度である。これに対して、本実施形態のように、ハイブリットトランス４２が配設された構成では、装置全体の故障率は、ハイブリットトランス４２に支配されるが、この場合、ハイブリットトランス４２がトランス６０１と抵抗６０２との簡易な構成であることから、２０Ｆｉｔ程度である。このように本実施形態の構成では、従来の構成よりも故障率を大幅に向上させることができる。
【００６７】
以上に説明したように第４の実施形態によれば、送信装置４１において、位相移動回路７は、第２の送信回路５へ入力される入力信号の位相を第１の送信回路４へ入力される入力信号の位相に対して所定角度（６０度）だけ移動させるように構成されており、ハイブリットトランス４２は、第１の交流電力信号を一方の入力端子により入力すると共に第２の交流電力信号を他方の入力端子により入力して中間点から交流電力信号を出力するトランス６０１を有して構成されている。
【００６８】
したがって、この場合も、第１の送信回路４から出力された交流電力信号Ｓｂと第２の送信回路５から出力された交流電力信号Ｓｃとの双方がハイブリットトランス４２へ入力された場合にハイブリットトランス４２から出力される交流電力信号Ｓｄ、第１の送信回路４から出力された交流電力信号Ｓｂのみがハイブリットトランス４２へ入力された場合にハイブリットトランス４２から出力される交流電力信号Ｓｂ´、第２の送信回路５から出力された交流電力信号Ｓｃのみがハイブリットトランス４２へ入力された場合にハイブリットトランス４２から出力される交流電力信号Ｓｃ´について、それらの周波数や振幅を一定に保つことができる。
【００６９】
これにより、第１の送信回路４と第２の送信回路５とのうち一方を常用系として使用すると共に他方を待機系として使用している場合に、常用系として使用されている回路に故障が発生した場合であっても、その故障が発生した前後でハイブリットトランス４２から出力される交流電力信号の周波数や振幅を一定に保つことができ、二重化装置の本来の機能を正常に行うことができ、信頼性が低下することを未然に回避することができる。
【００７０】
また、この場合は、ハイブリットトランス４２を採用しているので、トランスを採用する構成とは異なって、入力側コイル同士の干渉による影響が無いという利点がある。
ところで、この場合も、第２の送信回路５の前段に位相移動回路７が配設されている構成（上記した第１の実施形態の構成）に対してトランス６の代わりにハイブリットトランス４２を配設した場合を説明したものであるが、第２の送信回路５の前段に禁止回路２２が配設されている構成（上記した第２の実施形態の構成）に対してトランス６の代わりにハイブリットトランス４２を配設した場合には、上記した第２の実施形態に記載したものと同様の作用効果を得ることができる。
【００７１】
（その他の実施形態）
本発明は、上記した実施形態にのみ限定されるものではなく、以下のように変形または拡張することができる。
【００７２】
二重化装置としては、ＩＭＴＳで用いられる送信装置に適用する構成に限らず、鉄道の閉塞制御システムや化学プラントの制御装置に適用する構成であっても良い。
第４の実施形態において、出力側コイル（２次コイル）が存在しないハイブリットトランスを用いる構成に限らず、出力側コイルが存在するハイブリットトランスを用いる構成であっても良く（詳しくは電子情報通信ハンドブック（オーム社）第５２５頁を参照されたい）、その場合も、サムポートから交流電力信号を出力するように構成すれば良い。
【図面の簡単な説明】
【００７３】
【図１】本発明の第１の実施形態の全体構成を示す機能ブロック図
【図２】位相移動回路の電気回路図
【図３】トランスの電気回路図
【図４】モニタ回路の電気回路図
【図５】本発明の第２の実施形態の全体構成を示す機能ブロック図
【図６】禁止回路の電気回路図
【図７】本発明の第３の実施形態の全体構成を示す機能ブロック図
【図８】図３相当図
【図９】本発明の第４の実施形態の全体構成を示す機能ブロック図
【図１０】ハイブリットトランスの電気回路図
【符号の説明】
【００７４】
図面中、１は送信装置（二重化装置）、４は第１の送信回路（第１の交流電力信号出力回路）、５は第２の送信回路（第２の交流電力信号出力回路）、６はトランス、７は位相移動回路、２０１は第１の入力側コイル、２０２は第２の入力側コイル、２０３は出力側コイル、２１は送信装置（二重化装置）、２２は禁止回路、３１は送信装置（二重化装置）、３２はトランス、５０１は第１の入力側コイル、５０２は第２の入力側コイル、５０３は第１の出力側コイル、５０４は第２の出力側コイル、４１は送信装置（二重化装置）、４２はハイブリットトランス、６０１はトランスである。
【図１】
2005258775.tif 000010
【図２】
2005258775.tif 000011
【図３】
2005258775.tif 000012
【図４】
2005258775.tif 000013
【図５】
2005258775.tif 000014
【図６】
2005258775.tif 000015
【図７】
2005258775.tif 000016
【図８】
2005258775.tif 000017
【図９】
2005258775.tif 000018
【図１０】
2005258775.tif 000019
【手続補正書】
【提出日】平成16年3月16日(2004.3.16)
【手続補正１】
【補正対象書類名】特許請求の範囲
【補正対象項目名】全文
【補正方法】変更
【補正の内容】
【特許請求の範囲】
【請求項１】
第１の交流電力信号を出力する第１の交流電力信号出力回路と、
第２の交流電力信号を出力する第２の交流電力信号出力回路と、
前記第２の交流電力信号出力回路へ入力される入力信号の位相を前記第１の交流電力信号出力回路へ入力される入力信号の位相に対して所定角度だけ移動させる位相移動回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルと前記第２の入力側コイルとに対応する出力側コイルとを有し、各コイルの巻数が同一に形成されてなるトランスと、
を備えたことを特徴とする二重化装置。
【請求項２】
第１の交流電力信号を出力する第１の交流電力信号出力回路と、
第２の交流電力信号を出力する第２の交流電力信号出力回路と、
前記第１の交流電力信号出力回路が正常な場合に前記第２の交流電力信号出力回路への入力信号の入力を禁止すると共に、前記第１の交流電力信号出力回路が異常な場合に前記第２の交流電力信号出力回路への入力信号の入力を許可する禁止回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルと前記第２の入力側コイルとに対応する出力側コイルとを有し、各コイルの巻数が同一に形成されてなるトランスと、
を備えたことを特徴とする二重化装置。
【請求項３】
第１の交流電力信号を出力する第１の交流電力信号出力回路と、
第２の交流電力信号を出力する第２の交流電力信号出力回路と、
前記第２の交流電力信号出力回路へ入力される入力信号の位相を前記第１の交流電力信号出力回路へ入力される入力信号の位相に対して所定角度だけ移動させる位相移動回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルに対応する第１の出力側コイルと、前記第２の入力側コイルに対応する第２の出力側コイルとを有し、各コイルの巻数が同一に形成されていると共に前記第１の出力側コイルと前記第２の出力側コイルとが直列接続されてなるトランスと、
を備えたことを特徴とする二重化装置。
【請求項４】
第１の交流電力信号を出力する第１の交流電力信号出力回路と、
第２の交流電力信号を出力する第２の交流電力信号出力回路と、
前記第１の交流電力信号出力回路が正常な場合に前記第２の交流電力信号出力回路への入力信号の入力を禁止すると共に、前記第１の交流電力信号出力回路が異常な場合に前記第２の交流電力信号出力回路への入力信号の入力を許可する禁止回路と、
前記第１の交流電力信号出力回路から出力された第１の交流電力信号を入力する第１の入力側コイルと、前記第２の交流電力信号出力回路から出力された第２の交流電力信号を入力する第２の入力側コイルと、前記第１の入力側コイルに対応する第１の出力側コイルと、前記第２の入力側コイルに対応する第２の出力側コイルとを有し、各コイルの巻数が同一に形成されていると共に前記第１の出力側コイルと前記第２の出力側コイルとが直列接続されてなるトランスと、
を備えたことを特徴とする二重化装置。
【請求項５】
第１の交流電力信号を出力する第１の交流電力信号出力回路と、
第２の交流電力信号を出力する第２の交流電力信号出力回路と、
前記第２の交流電力信号出力回路へ入力される入力信号の位相を前記第１の交流電力信号出力回路へ入力される入力信号の位相に対して所定角度だけ移動させる位相移動回路と、
前記第１の交流電力信号出力回路から出力された第１の交流電力信号を一方の入力端子により入力すると共に前記第２の交流電力信号出力回路から出力された第２の交流電力信号を他方の入力端子により入力してサムポートから交流電力信号を出力するハイブリットトランスと、
を備えたことを特徴とする二重化装置。
【請求項６】
第１の交流電力信号を出力する第１の交流電力信号出力回路と、
第２の交流電力信号を出力する第２の交流電力信号出力回路と、
前記第１の交流電力信号出力回路が正常な場合に前記第２の交流電力信号出力回路への入力信号の入力を禁止すると共に、前記第１の交流電力信号出力回路が異常な場合に前記第２の交流電力信号出力回路への入力信号の入力を許可する禁止回路と、
前記第１の交流電力信号出力回路から出力された第１の交流電力信号を一方の入力端子により入力すると共に前記第２の交流電力信号出力回路から出力された第２の交流電力信号を他方の入力端子により入力してサムポートから交流電力信号を出力するハイブリットトランスと、
を備えたことを特徴とする二重化装置。